(57)【要約】【課題】各素子列についての適切な駆動停止を実行して実用性の高い照明手段を提供する。【解決手段】複数の発光素子を直列接続した素子列を複数列備え、各素子列を選択して駆動可能な照明制御装置であって、上記素子列毎の異常を検出する異常検出手段と、上記検出された素子列毎の異常に基づいて、全ての素子列を駆動停止させるか異常が検出された素子列のみ駆動停止させるかを分岐し、当該分岐に従って全ての素子列を駆動停止させるか或いは異常が検出された素子列のみ駆動停止させる駆動停止制御手段と、を備える構成とした。【選択図】図２
2012043560.tif 000002
【特許請求の範囲】
【請求項１】
複数の発光素子を直列接続した素子列を複数列備え、各素子列を選択して駆動可能な照明制御装置であって、
上記素子列毎の異常を検出する異常検出手段と、
上記検出された素子列毎の異常に基づいて、全ての素子列を駆動停止させるか異常が検出された素子列のみ駆動停止させるかを分岐し、当該分岐に従って全ての素子列を駆動停止させるか或いは異常が検出された素子列のみ駆動停止させる駆動停止制御手段と、
を備えることを特徴とする照明制御装置。
【請求項２】
上記駆動停止制御手段は、異常が検出された素子列の数が予め設定された基準数を上回る場合に全ての素子列を駆動停止させ、異常が検出された素子列の数が当該基準数を上回らない場合に異常が検出された素子列のみ駆動停止させることを特徴とする請求項１に記載の照明制御装置。
【請求項３】
上記異常検出手段は、一つの素子列を定電流駆動させる定電流回路で検出される電圧が所定の上限値より高いか或いは所定の下限値より低い場合にエラー信号を出力する素子列エラー検出手段を素子列毎に備え、
上記駆動停止制御手段は、各素子列エラー検出手段から出力されるエラー信号を加算する加算手段と、加算手段による加算結果と上記基準数とを比較する比較手段とを備え、当該比較手段において加算結果が基準数を上回る場合に、全ての素子列を駆動停止させ、当該加算結果が基準数を上回らない場合に、エラー信号が素子列エラー検出手段により出力された素子列のみ駆動停止させることを特徴とする請求項２に記載の照明制御装置。
【請求項４】
上記駆動停止制御手段は、外部から予め設定された上記基準数を示すレベル信号を上記比較手段に与えることを特徴とする請求項３に記載の照明制御装置。
【請求項５】
上記駆動停止制御手段は、所定の基準電圧を抵抗分圧回路で分圧して得られる出力電圧を上記レベル信号とし、当該抵抗分圧回路の分圧比が外部から設定可能であることを特徴とする請求項４に記載の照明制御装置。
【請求項６】
上記駆動停止制御手段は、異常が検出された素子列が予め設定された対象素子列に該当する場合に全ての素子列を駆動停止させ、異常が検出された素子列が当該対象素子列に該当しない場合に異常が検出された素子列のみ駆動停止させることを特徴とする請求項１に記載の照明制御装置。
【請求項７】
複数のＬＥＤを直列接続したＬＥＤ列を複数列備え各ＬＥＤ列を選択して駆動可能な照明制御装置を搭載した液晶テレビジョンであって、
上記照明制御装置は、
ＬＥＤ列毎の定電流回路であって、対応するＬＥＤ列のカソードにコレクタを接続させたトランジスタと、当該トランジスタのエミッタとグラウンドとの間に接続された抵抗と、当該エミッタにおける検出電圧を入力しつつ増幅電圧を当該トランジスタのベースへ出力するオペアンプとを含み、当該対応するＬＥＤ列を定電流駆動させる定電流回路と、
ＬＥＤ列毎のエラー検出回路であって、上記検出電圧と所定の上限値とを比較する第一コンパレータと、上記検出電圧と所定の下限値とを比較する第二コンパレータとを含み、第一コンパレータにおいて検出電圧が上限値を上回るか或いは第二コンパレータにおいて検出電圧が下限値を下回る場合にエラー信号を出力するエラー検出回路と、
各エラー検出回路から出力されるエラー信号を加算する加算器と、
上記加算器による加算結果と、当該加算結果との比較対象となるレベル信号とを入力し、当該加算結果がレベル信号を上回る場合にエラー信号を出力する第三コンパレータと、
上記第三コンパレータからエラー信号が出力された場合には全てのＬＥＤ列を駆動停止させ、上記第三コンパレータからエラー信号が出力されない場合には対応するエラー検出回路からエラー信号が出力されたＬＥＤ列のみ駆動停止させる停止制御回路と、
所定の基準電圧を抵抗分圧回路で分圧して得られる出力電圧を上記レベル信号とし、当該レベル信号を上記第三コンパレータに入力させるレベル信号入力回路であって、当該抵抗分圧回路の分圧比が外部から設定可能であるレベル信号入力回路と、
を備えることを特徴とする液晶テレビジョン。
【発明の詳細な説明】
【技術分野】
【０００１】
本発明は、照明制御装置および液晶テレビジョンに関する。
【背景技術】
【０００２】
液晶テレビジョン用のバックライトとして、複数のＬＥＤ（発光ダイオード）を直列接続したＬＥＤ列を複数列備えたバックライトが知られている。本明細書では、一つのＬＥＤ列を、一つのチャンネルと表現する。従来、複数チャンネルのＬＥＤを駆動させる場合、ＬＥＤ駆動用のコントローラは、複数チャンネルのうち、一つのチャンネルについて異常（例えば、チャンネルを構成するＬＥＤのオープン不良やショート等に起因する異常）が検出された場合、全チャンネルについて駆動停止（シャットダウン）させていた。
【０００３】
ここで、直列接続されたＬＥＤの各々に対して保護素子を並列接続することにより、ＬＥＤのオープン不良時に、直列接続されたＬＥＤの一列全てが不点灯となることを回避するＬＥＤ点灯回路が知られている（特許文献１参照。）。
また、各発光素子の異常を検出する検出回路を備え、検出回路は複数の発光素子の少なくとも一つ以上に異常が発生したことを検出すると制御ボードへアラーム信号を出力するバックライトユニットが知られている（特許文献２参照。）。
また、発光色が異なる２種類のＬＥＤは、それらが複数個接続された各素子列Ｌｙ，Ｌｍを構成し、各素子列Ｌｙ，ＬｍはドライバＩＣによって駆動され、選択的に点灯される光源装置が知られている（特許文献３参照。）。
【先行技術文献】
【特許文献】
【０００４】
【特許文献１】特開２００７‐３２４３５５号公報
【特許文献２】特開２００２‐１３１７４６号公報
【特許文献３】特開２００６‐２４５３０８号公報
【発明の概要】
【発明が解決しようとする課題】
【０００５】
上述したように、複数チャンネルのうち一つのチャンネルについて異常が検出された場合、従来は全チャンネルについて駆動停止させていた。しかし、このように一部のチャンネルが異常であったとしても、バックライトを構成する全チャンネルをシャットダウンさせる必要性が常にあるとは言えず、そのため複数チャンネルで構成されるバックライトの駆動方法に改善の余地があった。つまり、一部のチャンネルに異常があるとしても、ユーザの視聴の快適性等を損なわない範囲であれば、異常のある一部のチャンネルのみ駆動停止させ、その他のチャンネルについては駆動（点灯）を継続してもよいと言える。なお上記文献は、このような一部のチャンネルに異常がある場合の各チャンネルの駆動停止についての最適な制御手法を提供するものではなかった。
【０００６】
本発明は上記課題を解決するためになされたものであり、複数の発光素子を直列接続した複数の素子列において一部の素子列に異常が発生した場合に、各素子列についての適切な駆動停止を実行して実用性の高い照明手段を提供することが可能な照明制御装置および液晶テレビジョンを提供する。
【課題を解決するための手段】
【０００７】
本発明の態様の一つは、複数の発光素子を直列接続した素子列を複数列備え、各素子列を選択して駆動可能な照明制御装置であって、上記素子列毎の異常を検出する異常検出手段と、上記検出された素子列毎の異常に基づいて、全ての素子列を駆動停止させるか異常が検出された素子列のみ駆動停止させるかを分岐し、当該分岐に従って全ての素子列を駆動停止させるか或いは異常が検出された素子列のみ駆動停止させる駆動停止制御手段と、を備える構成としてある。
【０００８】
当該構成によれば、検出された素子列毎の異常に基づいて、全ての素子列を駆動停止させるか異常が検出された素子列のみ駆動停止させるかを分岐するため、一部のチャンネル（素子列）に異常がある場合にも、ユーザの視聴の快適性等を損なわない範囲で、異常の無い他のチャンネルの駆動による点灯を行うことができ、液晶テレビジョン等のバックライトとして実用性の高い照明手段が提供される。
【０００９】
本発明による技術的思想は、物の発明だけでなく方法やプログラムの発明としても把握可能である。つまり、上記各手段による処理工程を有する方法や、これら各工程をコンピュータに実行させるプログラムなども発明として把握される。また、本発明の技術的思想は、照明制御装置という物の発明だけでなく、この照明制御装置を搭載した装置（例えば液晶テレビジョン）の発明としても把握される。
【図面の簡単な説明】
【００１０】
【図１】液晶テレビジョンの概略構成を示すブロック図である。
【図２】バックライト制御回路等を示す図である。
【図３】一つのＬＥＤ列とＬＥＤ駆動用定電流源部とを示す図である。
【発明を実施するための形態】
【００１１】
本発明の実施形態として、上記駆動停止制御手段は、異常が検出された素子列の数が予め設定された基準数を上回る場合に全ての素子列を駆動停止させ、異常が検出された素子列の数が当該基準数を上回らない場合に異常が検出された素子列のみ駆動停止させる構成としてもよい。
また、本発明の実施形態として、上記異常検出手段は、一つの素子列を定電流駆動させる定電流回路で検出される電圧が所定の上限値より高いか或いは所定の下限値より低い場合にエラー信号を出力する素子列エラー検出手段を素子列毎に備え、上記駆動停止制御手段は、各素子列エラー検出手段から出力されるエラー信号を加算する加算手段と、加算手段による加算結果と上記基準数とを比較する比較手段とを備え、当該比較手段において加算結果が基準数を上回る場合に、全ての素子列を駆動停止させ、当該加算結果が基準数を上回らない場合に、エラー信号が素子列エラー検出手段により出力された素子列のみ駆動停止させる構成としてもよい。
また、本発明の実施形態として、上記駆動停止制御手段は、外部から予め設定された上記基準数を示すレベル信号を上記比較手段に与える構成としてもよい。
また、本発明の実施形態として、上記駆動停止制御手段は、所定の基準電圧を抵抗分圧回路で分圧して得られる出力電圧を上記レベル信号とし、当該抵抗分圧回路の分圧比が外部から設定可能である構成としてもよい。
また、本発明の実施形態として、上記駆動停止制御手段は、異常が検出された素子列が予め設定された対象素子列に該当する場合に全ての素子列を駆動停止させ、異常が検出された素子列が当該対象素子列に該当しない場合に異常が検出された素子列のみ駆動停止させる構成としてもよい。
【００１２】
また、本発明の実施形態として、複数のＬＥＤを直列接続したＬＥＤ列を複数列備え各ＬＥＤ列を選択して駆動可能な照明制御装置を搭載した液晶テレビジョンであって、
上記照明制御装置は、ＬＥＤ列毎の定電流回路であって、対応するＬＥＤ列のカソードにコレクタを接続させたトランジスタと、当該トランジスタのエミッタとグラウンドとの間に接続された抵抗と、当該エミッタにおける検出電圧を入力しつつ増幅電圧を当該トランジスタのベースへ出力するオペアンプとを含み、当該対応するＬＥＤ列を定電流駆動させる定電流回路と、ＬＥＤ列毎のエラー検出回路であって、上記検出電圧と所定の上限値とを比較する第一コンパレータと、上記検出電圧と所定の下限値とを比較する第二コンパレータとを含み、第一コンパレータにおいて検出電圧が上限値を上回るか或いは第二コンパレータにおいて検出電圧が下限値を下回る場合にエラー信号を出力するエラー検出回路と、各エラー検出回路から出力されるエラー信号を加算する加算器と、上記加算器による加算結果と、当該加算結果との比較対象となるレベル信号とを入力し、当該加算結果がレベル信号を上回る場合にエラー信号を出力する第三コンパレータと、上記第三コンパレータからエラー信号が出力された場合には全てのＬＥＤ列を駆動停止させ、上記第三コンパレータからエラー信号が出力されない場合には対応するエラー検出回路からエラー信号が出力されたＬＥＤ列のみ駆動停止させる停止制御回路と、所定の基準電圧を抵抗分圧回路で分圧して得られる出力電圧を上記レベル信号とし、当該レベル信号を上記第三コンパレータに入力させるレベル信号入力回路であって、当該抵抗分圧回路の分圧比が外部から設定可能であるレベル信号入力回路と、を備える構成としてもよい。
【００１３】
以下、図面を参照しながら本発明の実施形態を説明する。
図１は、本実施形態にかかる照明制御装置を搭載した液晶テレビジョン１０の概略構成を示している。液晶テレビジョン１０は、マイクロコンピュータ１１、チューナ回路１２、映像処理回路１３、パネル駆動回路１４、液晶パネル１５、バックライト制御回路１６、バックライト１７、電源回路１８などを備える。マイクロコンピュータ１１は、液晶テレビジョン１０を構成する各部、各回路とバスを介して接続しており、ＣＰＵ、ＲＡＭ、ＲＯＭを備え、ＣＰＵがＲＡＭをワークエリアとしつつＲＯＭに記憶された所定のプログラムに従った処理を実行し液晶テレビジョン１０全体を制御する。
【００１４】
チューナ回路１２は、マイクロコンピュータ１１による制御によりアンテナを介して放送信号を受信する。映像処理回路１３は、受信された放送信号からの映像信号の復調、映像信号に対する画質調整、スケーリング処理などを行なって液晶パネル１５の一画面分の映像信号（フレーム）を生成し、パネル駆動回路１４に出力する。パネル駆動回路１４は、供給されたフレームに基づいて液晶パネル１５を駆動させ、フレームに基づく映像を液晶パネル１５に表示させる。
【００１５】
バックライト１７は、複数の発光素子（ＬＥＤ）を直列接続してなるチャンネルを複数並列接続して構成され、各ＬＥＤを点灯させることにより、液晶パネル１５の背面側から液晶パネル１５を照射する。バックライト制御回路１６は、バックライト１７を構成する各チャンネルを駆動させて各ＬＥＤを点灯させる回路であり、照明制御装置の中心的役割を果たす。バックライト制御回路１６は各チャンネルを選択して駆動可能である。電源回路１８は、外部の商用交流電圧を入力して直流電圧に変換し、マイクロコンピュータ１１による制御下で、液晶テレビジョン１０を構成する各部、各回路へ必要に応じた直流電圧を供給する。むろん液晶テレビジョン１０は、上述した構成以外にも音声処理回路やスピーカや外部入力端子など、テレビジョンを構成する上で必要な公知の各構成を備えることができる。また、照明制御装置が搭載される装置は必ずしも受信機能を備えた液晶テレビジョンである必要は無く、バックライトを有する液晶ディスプレーでもよい。
【００１６】
図２は、バックライト制御回路１６を中心とした構成を示している。バックライト制御回路１６は、チャンネル（チャンネル数＝１〜Ｎ）毎のＬＥＤ駆動用定電流源部１６ａ１，１６ａ２，１６ａ３〜１６ａＮ、加算器１６ｂ、コンパレータ１６ｃ、レギュレータ１６ｄ、リファレンス電源部１６ｅ等を含む。図３は、ある一つのチャンネルを構成するＬＥＤ列と、当該一つのチャンネルに対応して設けられたＬＥＤ駆動用定電流源部を示している。チャンネル１〜Ｎ毎のＬＥＤ列およびＬＥＤ駆動用定電流源部の構成はいずれも同じ（ＬＥＤの発光色は同じである必要ない。）であるため、図３ではチャンネル１〜Ｎを代表して、チャンネル１に対応するＬＥＤ列Ｃ１およびＬＥＤ駆動用定電流源部１６ａ１を示している。
【００１７】
図２，３で説明する構成は、本発明の異常検出手段および駆動停止制御手段を構成する。図３に示すように、ＬＥＤ列Ｃ１は、直列接続された複数のＬＥＤ２０からなり、最初のＬＥＤ２０のアノード側において電圧Ｖｃｃの供給を受けている。また、ＬＥＤ列Ｃ１の最後のＬＥＤ２０のカソード側は、ＬＥＤ駆動用定電流源部１６ａ１を構成する定電流回路に接続している。かかるチャンネル毎の定電流回路は、ＬＥＤ２０のカソードにコレクタを接続させたトランジスタＴｒと、トランジスタＴｒのエミッタとグラウンドＧＮＤとの間に接続された抵抗Ｒｉと、当該エミッタにおける検出電圧を入力しつつ増幅電圧をトランジスタＴｒのベースへ出力するオペアンプＯＰＡとを含む。
【００１８】
かかる定電流回路においては、エミッタを流れる電流をＩｅとすると、オペアンプＯＰＡの−入力端子にＩｅ×Ｒｉの電圧（検出電圧）が生じ、この電圧とオペアンプＯＰＡの＋入力端子に供給される設定された電圧Ｖｉが等しくなるように動作し、ＬＥＤ列Ｃ１を定電流駆動させる。図２，３に示すように、オペアンプＯＰＡの出力端子とトランジスタＴｒのベースとは、バックライト制御回路１６の内外において端子ＤＲ１を介して接続しており、同様に、オペアンプＯＰＡの−入力端子とトランジスタＴｒのエミッタとは、バックライト制御回路１６の内外において端子ＳＥＮ１を介して接続している。かかる接続態様は、他のチャンネル２〜ＮのＬＥＤ列とＬＥＤ駆動用定電流源部との関係においても同様である。
【００１９】
さらにＬＥＤ駆動用定電流源部１６ａ１は、チャンネル毎のエラー検出回路を含む。エラー検出回路は、検出電圧と検出電圧に対する所定の上限値ＯＶＬとを比較するコンパレータＣＰ１（第一コンパレータ）と、検出電圧と検出電圧に対する所定の下限値ＬＶＬとを比較するコンパレータＣＰ２（第二コンパレータ）と、コンパレータＣＰ１，ＣＰ２からの出力（ハイレベル信号としての“１”またはローレベル信号としての“０”）を入力して“１”または“０”を出力するＯＲ回路２１とを含む。コンパレータＣＰ１は、入力した検出電圧＞上限値ＯＶＬの場合に“１”を出力し、検出電圧＜上限値ＯＶＬの場合に“０”を出力する。コンパレータＣＰ２は、入力した検出電圧＜下限値ＬＶＬの場合に“１”を出力し、検出電圧＞下限値ＬＶＬの場合に“０”を出力する。ＯＲ回路２１は、コンパレータＣＰ１，ＣＰ２のいずれか一方から“１”が入力された場合に“１”を出力し、コンパレータＣＰ１，ＣＰ２の両方から“０”が入力された場合に“０”を出力する。ＯＲ回路２１からの出力“１”は、エラー検出回路によるエラー信号を意味する。つまり、上記検出電圧が下限値ＬＶＬ〜上限値ＯＶＬの範囲から外れる場合には、対応するチャンネル（ＬＥＤ列）における点灯に異常が発生しているものとし、そのチャンネルに関してのエラー信号が出力される。
【００２０】
図２に示すように、バックライト制御回路１６においてはＬＥＤ駆動用定電流源部１６ａ１〜１６ａＮの各エラー検出回路の出力が加算器１６ｂに入力され、加算器１６ｂは各エラー検出回路からの出力信号を加算する。従って、加算器１６ｂによる加算結果は、エラー信号“１”を出力したエラー検出回路の数（つまり異常が検出されたチャンネル数）を表す。加算器１６ｂは、加算結果（加算結果の大きさを表す電圧）をコンパレータ１６ｃ（第三コンパレータ）へ出力し、コンパレータ１６ｃは、この加算結果を＋入力端子において入力する。また、コンパレータ１６ｃは、−入力端子において当該加算結果との比較対象となるレベル信号（電圧）を入力し、加算結果とレベル信号とを比較する。レベル信号の電圧の大きさは、本発明における基準数の大きさを表しており、その大きさは外部から予め設定されている。
【００２１】
リファレンス電源部１６ｅは、一定の基準電圧を、端子ＲＥＦを介してバックライト制御回路１６外部の抵抗分圧回路３０へ出力する。抵抗分圧回路３０は、直列接続された２つの抵抗Ｒ１，Ｒ２からなり、分圧して得られる出力電圧が上記レベル信号として端子ＤＩＶを介してバックライト制御回路１６に入力されてコンパレータ１６ｃの−入力端子へ入力される。つまり、ユーザ（液晶テレビジョン１０の製造者）は、抵抗分圧回路３０を組み立てる際に抵抗Ｒ１，Ｒ２による分圧比を任意に決定することで、上記レベル信号すなわち基準数の大きさを任意に設定することができる。このような分圧比の設定は、液晶テレビジョン１０を購入したエンドユーザが任意に行えるようにしてもよい。リファレンス電源部１６ｅおよび抵抗分圧回路３０は、レベル信号入力回路を構成する。
【００２２】
コンパレータ１６ｃは、加算器１６ｂによる加算結果とレベル信号とを比較し、加算結果がレベル信号を上回る場合、つまり異常が検出されたチャンネル数が上記設定された基準数を上回る場合に、ハイレベル信号としての“１”を出力し、加算結果がレベル信号を上回らない場合、ローレベル信号としての“０”を出力する。コンパレータ１６ｃからの出力“１”は、コンパレータ１６ｃによるエラー信号を意味する。コンパレータ１６ｃからの出力は、端子ＥＲＲを介してバックライト制御回路１６外部に出力され、マイクロコンピュータ１１に入力される。マイクロコンピュータ１１は、バックライト制御回路１６からエラー信号“１”を入力した場合、バックライト制御回路１６へのイネーブル信号の供給を停止する。
【００２３】
マイクロコンピュータ１１からバックライト制御回路１６に対しては、端子ＥＮを介してイネーブル信号が入力されており、このイネーブル信号が入力されている場合にバックライト制御回路１６は有効に動作する。一方、イネーブル信号の入力が停止すると、バックライト制御回路１６は動作が無効となる。具体的には、イネーブル信号の入力が途絶えると、レギュレータ１６ｄからバックライト制御回路１６内の各部への駆動用の規定電圧の供給が途絶え、そのため全チャンネル１〜ＮのＬＥＤ駆動用定電流源部１６ａ１〜１６ａＮが停止する。この場合、全チャンネル１〜Ｎの定電流回路が停止し、結果、全チャンネルのＬＥＤ列の駆動が停止する。なお本実施形態では、異常が検出されたチャンネル数が上記設定された基準数を上回る場合に、全チャンネル１〜ＮのＬＥＤ列の駆動を停止できればよく、駆動停止させるための具体的処理内容は特に限られない。
【００２４】
一方、コンパレータ１６ｃからの出力が“０”である場合、マイクロコンピュータ１１はバックライト制御回路１６へのイネーブル信号の供給を停止しない。このようにコンパレータ１６ｃからの出力が“０”である場合、バックライト制御回路１６は、異常が検出されたチャンネルのみ駆動停止させる。具体的には、バックライト制御回路１６は、全チャンネル１〜ＮのＬＥＤ駆動用定電流源部１６ａ１〜１６ａＮのうち、そのエラー検出回路からエラー信号を出力したＬＥＤ駆動用定電流源部に対しては、レギュレータ１６ｄからの規定電圧の供給を遮断させる。すると、エラー検出回路からエラー信号を出力したＬＥＤ駆動用定電流源部が停止し、これら停止したＬＥＤ駆動用定電流源部が対応するチャンネルのＬＥＤ列のみが駆動停止する。なお本実施形態では、異常が検出されたチャンネル数が上記設定された基準数を上回らない場合、異常が検出されたチャンネルのＬＥＤ列のみを駆動停止できればよく、駆動停止させるための具体的処理内容は特に限られない。
【００２５】
このように本実施形態によれば、異常が検出されたチャンネル数が上記設定された基準数を上回る場合には全チャンネルのＬＥＤ列を駆動停止させ、異常が検出されたチャンネル数が基準数を上回らない場合には、異常が検出されたチャンネルのＬＥＤ列のみを駆動停止させるとした。そして、上記基準数については、その値をユーザが予め任意に設定可能とした。つまり、全チャンネル数のうちどれだけの数のチャンネルに異常がある場合に全チャンネルを駆動停止させるかをユーザが任意に設定することができるため、一部のチャンネルに異常がある場合にも、ユーザの視聴の快適性等を損なわない範囲で異常の無い他のチャンネルの駆動による点灯を行うことができ、バックライトとして実用性の高い照明手段を提供できる。
【００２６】
本発明の実施形態は、上述したものに限られず種々の態様を採用可能である。図２に示したバックライト制御回路１６はＬＥＤ駆動用定電流源部１６ａ１〜１６ａＮを備え、かつ加算器１６ｂやコンパレータ１６ｃを備えることで、多チャンネルの駆動を制御する多チャンネルコントローラとして機能していたが、１チャンネル毎のコントローラを並列に構成した場合にも本発明を適用可能である。具体的には、液晶テレビジョン１０は、ＬＥＤのチャンネル毎に独立したコントローラをチャンネル分備える。ここで言うチャンネル毎のコントローラとは、ＬＥＤ駆動用定電流源部１６ａ１〜１６ａＮを意味する。そして、ＬＥＤ駆動用定電流源部１６ａ１〜１６ａＮとは別回路としての駆動停止制御回路を設け、この駆動停止制御回路と、各ＬＥＤ駆動用定電流源部１６ａ１〜１６ａＮとを、通信インターフェイスで繋ぐ。駆動停止制御回路は、加算器１６ｂ、コンパレータ１６ｃ、レギュレータ１６ｄ、リファレンス電源部１６ｅを含み、駆動停止制御回路の外部には、抵抗分圧回路３０が設けられている。
【００２７】
駆動停止制御回路の加算器１６ｂに対しては、各ＬＥＤ駆動用定電流源部１６ａ１〜１６ａＮの各エラー検出回路の出力が入力される。駆動停止制御回路は、コンパレータ１６ｃによる出力結果に応じて、チャンネル毎のコントローラ全部を駆動停止させたり、一部のコントローラを駆動停止させたりすることができる。つまり、このようにチャンネル毎の独立したコントローラと駆動停止制御回路とで分けた構成においても、異常が検出されたチャンネル数が上記設定された基準数を上回る場合には全チャンネルのＬＥＤ列を駆動停止させ、異常が検出されたチャンネル数が基準数を上回らない場合には、異常が検出されたチャンネルのＬＥＤ列のみを駆動停止させることが可能である。
【００２８】
上記では、異常が検出されたチャンネルが多いか少ないかで全チャンネルの駆動停止をするかしないかを分岐しているが、本実施形態では、異常が検出されたチャンネルがいずれのチャンネルであるかによって全チャンネルの駆動停止の要否を判断してもよい。この場合、バックライト制御回路１６（図２参照）は、加算器１６ｂ、コンパレータ１６ｃ、リファレンス電源部１６ｅを備えず、各ＬＥＤ駆動用定電流源部１６ａ１〜１６ａＮの各エラー検出回路の出力を、マイクロコンピュータ１１に入力させる構成とする。マイクロコンピュータ１１は、チャンネル１〜Ｎのうちの対象チャンネル（対象素子列）の情報を予め有しているものとする。対象チャンネルとは、そのチャンネルに異常がある場合には全チャンネルを駆動停止とすべきものとしてユーザに予め設定されたチャンネルであり、そのＬＥＤ列の設置位置などに基づいて決定されている。
【００２９】
マイクロコンピュータ１１は、バックライト制御回路１６の各ＬＥＤ駆動用定電流源部１６ａ１〜１６ａＮから各エラー検出回路の出力を入力したときに、エラー信号“１”を入力した場合、当該エラー信号の出所のＬＥＤ駆動用定電流源部が対応するチャンネルが対象チャンネルであるか否か判定し、対象チャンネルである場合にはバックライト制御回路１６へのイネーブル信号の供給を停止する（全チャンネルのＬＥＤ列が駆動停止する）。一方、当該エラー信号の出所のＬＥＤ駆動用定電流源部が対応するチャンネルが対象チャンネルでない場合には、マイクロコンピュータ１１はバックライト制御回路１６へのイネーブル信号の供給を停止せず、バックライト制御回路１６は、異常が検出されたチャンネルのみ駆動停止させる。かかる構成とすれば、全チャンネルのうちいずれのチャンネルに異常がある場合に全チャンネルを駆動停止させるかをユーザが任意に設定することができるため、一部のチャンネルに異常がある場合にも、ユーザの視聴の快適性等を損なわない範囲で異常の無い他のチャンネルの駆動による点灯を行うことができ、バックライトとして実用性の高い照明手段を提供できる。
【符号の説明】
【００３０】
１０…液晶テレビジョン、１１…マイクロコンピュータ、１６…バックライト制御回路、１６ａ１，１６ａ２，１６ａ３，１６ａＮ…ＬＥＤ駆動用定電流源部、１６ｂ…加算器、１６ｃ…コンパレータ、１６ｄ…レギュレータ、１６ｅ…リファレンス電源部、１７…バックライト、２０…ＬＥＤ、２１…ＯＲ回路
【図１】
2012043560.tif 000003
【図２】
2012043560.tif 000004
【図３】
2012043560.tif 000005